(57)【特許請求の範囲】
【請求項１】
入力された音声を認識する認識部、認識された音声に基づいて操作する操作部、ディスプレイ、前記ディスプレイのオン／オフを制御する制御部、前記ディスプレイに設けられるタッチパネルおよび前記タッチパネルに対するタッチ操作を検出する検出部を有し、前記ディスプレイが消灯されたとき、タッチ操作の一部を無効にするスクリーンロック状態が有効にされる、携帯端末であって、
前記スクリーンロック状態が有効にされているときに、前記制御部によって前記ディスプレイのオン／オフが切り替えられた回数をカウントするカウント部、および
所定時間内に前記カウント部が所定回数をカウントしたとき、音声による操作を受け付ける特定モードを設定する設定部を備える、携帯端末。
【請求項２】
前記ディスプレイのオン／オフを切り替えるためのキーをさらに備え、
前記カウント部は、前記キーに対する操作回数をカウントする、請求項１記載の携帯端末。
【請求項３】
前記特定モードが設定されている状態で前記ディスプレイがオフにされたとき、前記特定モードを解除する解除部をさらに備える、請求項１または２記載の携帯端末。
【請求項４】
前記特定モードが設定されている状態で、タッチ操作がされたかを判断する判断部をさらに備え、
前記解除部は、前記判断部によってタッチ操作がされたと判断されたとき、前記特定モードを解除する、請求項３記載の携帯端末。
【請求項５】
特定機能の利用を制限するセキュリティロック状態を有効にするセキュリティ状態部をさらに備え、
前記ディスプレイが消灯されたとき、前記セキュリティロック状態がさらに有効にされ、
前記設定部は、前記セキュリティロック状態が有効にされている場合、音声による操作の一部が制限された第１特定モードを設定する第１特定モード設定部を含む、請求項１ないし４のいずれかに記載の携帯端末。
【請求項６】
前記設定部は、音声による操作を受け付けない制限モードを設定する制限モード設定部をさらに含み、
前記制限モードが予め選択されたとき、その選択結果を記憶する記憶部をさらに備え、
前記制限モード設定部は、前記制限モードが予め選択された状態で、前記所定時間内に前記カウント部によって所定回数がカウントされたとき、前記特定モードに代えて前記制限モードを設定する、請求項１ないし５のいずれかに記載の携帯端末。
【請求項７】
音声を出力する発話部をさらに備え、
前記発話部は、前記特定モードが設定されたとき、音声ガイダンスを出力する、請求項１ないし６のいずれかに記載の携帯端末。
【請求項８】
入力された音声を認識する認識部、認識された音声に基づいて操作する操作部、ディスプレイ、前記ディスプレイのオン／オフを制御する制御部、前記ディスプレイに設けられるタッチパネルおよび前記タッチパネルに対するタッチ操作を検出する検出部を有し、前記ディスプレイが消灯されたとき、タッチ操作の一部を無効にするスクリーンロック状態が有効にされる、携帯端末のプロセッサを、
前記スクリーンロック状態が有効にされているときに、前記制御部によって前記ディスプレイのオン／オフが切り替えられた回数をカウントするカウント部、および
所定時間内に前記カウント部が所定回数をカウントしたとき、音声による操作を受け付ける特定モードを設定する設定部として機能させる、特定モード設定プログラム。
【請求項９】
入力された音声を認識する認識部、認識された音声に基づいて操作する操作部、ディスプレイ、前記ディスプレイのオン／オフを制御する制御部、前記ディスプレイに設けられるタッチパネルおよび前記タッチパネルに対するタッチ操作を検出する検出部を有し、前記ディスプレイが消灯されたとき、タッチ操作の一部を無効にするスクリーンロック状態が有効にされる、携帯端末のモード設定方法であって、
前記スクリーンロック状態が有効にされているときに、前記制御部によって前記ディスプレイのオン／オフが切り替えられた回数をカウントし、そして
所定時間内に所定回数がカウントされたとき、音声による操作を受け付ける特定モードを設定する、特定モード設定方法。
【発明の詳細な説明】
【技術分野】
【０００１】
この発明は、携帯端末、特定モード設定プログラムおよび特定モード設定方法に関し、特にタッチパネルによって操作される、携帯端末、特定モード設定プログラムおよび特定モード設定方法に関する。
【背景技術】
【０００２】
タッチパネルによって操作される、携帯端末の一例が特許文献１に開示されている。特許文献１の携帯電話機は、キー操作部およびタッチパネルを有し、キー操作部の操作を無効にするキーロック設定処理が実行されることがある。キー操作部の操作が無効にされている場合、利用者は、タッチパネルに登録パスワードの軌跡と一致する軌跡を入力することで、キー操作部の操作を有効にすることができる。
【特許文献１】特開2011-160326号公報［H04M 1/67, H04M 1/175, G06F 3/041, G06F 3/033］
【発明の概要】
【発明が解決しようとする課題】
【０００３】
ところが、特許文献１の携帯電話機でタッチパネルが故障した場合、利用者は、登録パスワードの軌跡と一致する軌跡を入力できないため、キー操作部の操作を有効にすることができない。そのため、主な操作がタッチパネルで行われる携帯電話機の場合、利用者は携帯電話機を使えなくなる。
【０００４】
それゆえに、この発明の主たる目的は、新規な、携帯端末、特定モード設定プログラムおよび特定モード設定方法を提供することである。
【０００５】
この発明の他の目的は、タッチ操作が検出されない状態でも操作できる、携帯端末、特定モード設定プログラムおよび特定モード設定方法を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、入力された音声を認識する認識部、認識された音声に基づいて操作する操作部、ディスプレイ、ディスプレイのオン／オフを制御する制御部、ディスプレイに設けられるタッチパネルおよびタッチパネルに対するタッチ操作を検出する検出部を有し、ディスプレイが消灯されたとき、タッチ操作の一部を無効にするスクリーンロック状態が有効にされる、携帯端末であって、スクリーンロック状態が有効にされているときに、制御部によってディスプレイのオン／オフが切り替えられた回数をカウントするカウント部、および所定時間内にカウント部が所定回数をカウントしたとき、音声による操作を受け付ける特定モードを設定する設定部を備える、携帯端末である。
【０００８】
第１の発明では、携帯端末（１０：実施例において対応する部分を例示する参照符号。以下、同じ。）の認識部（２０，３０）はマイクに入力された音声を認識する。操作部（３０）は、認識された音声に基づいて、アドレス帳データを読み出したり、発呼したりする。ディスプレイ（１４）にはＧＵＩなどが表示される。制御部（３０，４２）は、ユーザのキー操作やプロセッサ（３０）の指示に基づいて、ディスプレイのオン／オフを制御する。タッチパネル（１６）は、たとえばポインティングデバイスであり、ディスプレイに設けられる。検出部（４８）は、タッチパネルに対して行われるタッチ操作を検出する。また、ディスプレイが消灯されると、発呼などを行うタッチ操作が無効とされるスクリーンロック状態が有効にされる。カウント部（３０，Ｓ７３，Ｓ８７）は、スクリーンロック状態が設定されているときに、ユーザの操作などによってディスプレイのオン／オフが切り替えられた回数をカウントする。設定部（３０，Ｓ９１）は、所定時間内に所定回数がカウントされると、音声による操作を受け付ける特定モードを設定する。
【０００９】
第１の発明によれば、タッチ操作が検出されない状態でも、音声で携帯端末を操作することができる。
【００１０】
第２の発明は、第１の発明に従属し、ディスプレイのオン／オフを切り替えるためのキーをさらに備え、カウント部は、キーに対する操作回数をカウントする。
【００１１】
第２の発明では、ディスプレイのオン／オフを切り替えるためのキー（２２ｄ）は、たとえば電源キーを含む。そして、カウント部は、このキーに対する操作回数をカウントする。
【００１２】
第２の発明によれば、タッチ操作が検出されない状態でユーザが行う可能性の高い操作に基づいて、特定モードを設定することができる。
【００１３】
第３の発明は、第１の発明および第２の発明に従属し、特定モードが設定されている状態でディスプレイがオフにされたとき、特定モードを解除する解除部をさらに備える。
【００１４】
第３の発明では、解除部（３０，Ｓ１５５）は、たとえば、ディスプレイをオフにする操作がされたり、無操作の状態で放置されたりして、ディスプレイがオフにされたときに、特定モードを解除する。
【００１５】
第４の発明は、第３の発明に従属し、特定モードが設定されている状態で、タッチ操作がされたかを判断する判断部をさらに備え、解除部は、判断部によってタッチ操作がされたと判断されたとき、特定モードを解除する。
【００１６】
第４の発明では、判断部（３０，Ｓ１５３）は、特定モードが設定されている状態で、タッチ操作が検出されたかを判断する。そして、特定モードでタッチ操作が検出されると、解除部は特定モードを解除する。
【００１７】
第３の発明および第４の発明によれば、ユーザは、特定モードを容易に解除することができる。
【００１８】
第５の発明は、第１の発明ないし第４の発明のいずれかに従属し、特定機能の利用を制限するセキュリティロック状態を有効にするセキュリティ状態部をさらに備え、ディスプレイが消灯されたとき、セキュリティロック状態がさらに有効にされ、設定部は、セキュリティロック状態が有効にされている場合、音声による操作の一部が制限された第１特定モードを設定する第１特定モード設定部を含む。
【００１９】
第５の発明では、セキュリティ状態設定部（３０，Ｓ１１）は、特定機能の利用を暗証番号などによって制限するセキュリティロック機能を有効にする。たとえば、ディスプレイが消灯されると、スクリーンロック状態とセキュリティロック状態とが同時に有効にされる。第１特定モード設定部（３０，Ｓ１１７）は、セキュリティロック状態が有効にされているときに、所定時間内に所定回数がカウントされると、第１特定モード（モード１）を設定する。たとえば、第１特定モードが設定されると、緊急発信を行うことはできるが、他の機能の利用が制限される。
【００２０】
第５の発明によれば、セキュリティロック状態が有効にされているときに特定モードが設定された場合、利用できる機能が制限されるため、携帯端末の安全性が保持される。
【００２１】
第６の発明は、第１の発明ないし第５の発明のいずれかに従属し、設定部は、音声による操作を受け付けない制限モードを設定する制限モード設定部をさらに含み、制限モードが予め選択されたとき、その選択結果を記憶する記憶部をさらに備え、制限モード設定部は、制限モードが予め選択された状態で、所定時間内にカウント部によって所定回数がカウントされたとき、特定モードに代えて制限モードを設定する。
【００２２】
第６の発明では、制限モード設定部（３０，Ｓ１２１，Ｓ１２３）は、音声による操作を受け付けない制限モード（モード０）を設定する。記憶部（４６）は、たとえばユーザが特定モードに代えて制限モードを選択すると、その選択結果を記録する。そして、制限モード設定部は、所定時間内に所定回数がカウントされると、制限モードを設定する。
【００２３】
第６の発明によれば、携帯端末を落とした場合に備えて、携帯端末が第三者によって操作されないようにすることができる。
【００２４】
第７の発明は、第１の発明ないし第６の発明のいずれかに従属し、音声を出力する発話部をさらに備え、発話部は、特定モードが設定されたとき、音声ガイダンスを出力する。
【００２５】
第７の発明では、発話部（１８，３０）は、たとえば特定モードが設定されると、合成音声のデータベースを利用して音声を出力する。
【００２６】
第７の発明によれば、ユーザは、音声ガイダンスの内容を聞くことで、携帯端末の状態を把握しやすくなる。
【００２７】
第８の発明は、入力された音声を認識する認識部（２０，３０）、音声を出力する発話部（１８，３０）、認識された音声に基づいて操作する操作部（３０）、ディスプレイ（１４）、ディスプレイのオン／オフを制御する制御部（３０，４２）、ディスプレイに設けられるタッチパネル（１６）およびタッチパネルに対するタッチ操作を検出する検出部（４８）を有し、ディスプレイが消灯されたとき、タッチ操作の一部を無効にするスクリーンロック状態が有効にされる、携帯端末（１０）のプロセッサ（３０）を、スクリーンロック状態が有効にされているときに、制御部によってディスプレイのオン／オフが切り替えられた回数をカウントするカウント部（Ｓ７３，Ｓ８７）、および所定時間内にカウント部が所定回数をカウントしたとき、音声による操作を受け付ける特定モードを設定する設定部（Ｓ９１）として機能させる、特定モード設定プログラムである。
【００２８】
第８の発明でも、第１の発明と同様、タッチ操作が検出されない状態でも、音声で携帯端末を操作することができる。
【００２９】
第９の発明は、入力された音声を認識する認識部（２０，３０）、音声を出力する発話部（１８，３０）、認識された音声に基づいて操作する操作部（３０）、ディスプレイ（１４）、ディスプレイのオン／オフを制御する制御部（３０，４２）、ディスプレイに設けられるタッチパネル（１６）およびタッチパネルに対するタッチ操作を検出する検出部（４８）を有し、ディスプレイが消灯されたとき、タッチ操作の一部を無効にするスクリーンロック状態が有効にされる、携帯端末（１０）のモード設定方法であって、スクリーンロック状態が有効にされているときに、制御部によってディスプレイのオン／オフが切り替えられた回数をカウントし（Ｓ７３，Ｓ８７）、そして所定時間内に所定回数がカウントされたとき、音声による操作を受け付ける特定モードを設定する（Ｓ９１）、特定モード設定方法である。
【００３０】
第９の発明でも、第１の発明と同様、タッチ操作が検出されない状態でも、音声で携帯端末を操作することができる。
【発明の効果】
【００３１】
この発明によれば、タッチ操作が検出されない状態でも、ユーザは携帯端末を操作することができる。
【００３２】
この発明の上述の目的、その他の目的、特徴および利点は、図面を参照して行う以下の実施例の詳細な説明から一層明らかとなろう。
【図面の簡単な説明】
【００３３】
【図１】図１はこの発明の一実施例の携帯電話機を示す外観図である。
【図２】図２は図１に示す携帯電話機の電気的な構成を示す図解図である。
【図３】図３は図１に示すディスプレイにスクリーンロック画面を表示するときの手順の一例を示す図解図であり、図３（Ａ）は図１に示す電源キーに対して操作がされている状態を示し、図３（Ｂ）は図１に示すディスプレイにスクリーンロック画面の一例が表示されている状態を示す。
【図４】図４は図１に示す携帯電話機に設定されたスクリーンロック状態およびセキュリティロック状態を解除するときの手順の一例を示す図解図であり、図４（Ａ）はスクリーンロック状態を解除する操作の一例を示し、図４（Ｂ）はセキュリティロック状態を解除する手順の一例を示し、図４（Ｃ）は図１に示すディスプレイに待機画面の一例が表示されている状態を示す。
【図５】図５は図１に示すタッチパネルにおいてタッチ操作が検出されない状態の一例を示す図解図であり、図５（Ａ）はスクリーンロック状態を解除する操作の他の一例を示し、図５（Ｂ）は図５（Ａ）に示す操作によってスクリーンロック状態が解除されなかった状態を示す。
【図６】図６は図１に示す携帯電話機に特定モードを設定するときの手順の一例を示す図解図であり、図６（Ａ）は図１に示す電源キーが操作されている状態を示し、図６（Ｂ）は特定モードが設定され図１に示すディスプレイに特定モード画面の一例が表示されている状態を示す。
【図７】図７は図２に示すＲＡＭに記録される特定モードテーブルの構成の一例を示す図解図である。
【図８】図８は図１に示す携帯電話機に設定された特定モードを解除する手順の一例を示す図解図であり、図８（Ａ）は特定モードが設定されている状態でタッチ操作が検出されている状態の一例を示し、図８（Ｂ）は特定モードが解除されスクリーンロック画面の一例が表示されている状態を示す。
【図９】図９は図２に示すＲＡＭのメモリマップの一例を示す図解図である。
【図１０】図１０は図９に示すデータ記憶領域の一例を示す図解図である。
【図１１】図１１は図２に示すプロセッサの設定処理の一例を示すフロー図である。
【図１２】図１２は図２に示すプロセッサの解除処理の一例を示すフロー図である。
【図１３】図１３は図２に示すプロセッサの特定モード判定処理の一例を示すフロー図である。
【図１４】図１４は図２に示すプロセッサの特定モード設定処理の一例を示すフロー図である。
【図１５】図１５は図２に示すプロセッサの特定モード制御処理の一例を示すフロー図である。
【発明を実施するための形態】
【００３４】
図１を参照して、この発明の一実施例の携帯電話機１０は、一例としてスマートフォン（smart phone）であり、縦長の扁平矩形のハウジング１２を含む。ただし、この発明は、タブレット端末およびＰＤＡなど任意の携帯端末に適用可能であることを予め指摘しておく。
【００３５】
ハウジング１２の主面（表面）には、たとえば液晶や有機ＥＬなどのディスプレイ１４が設けられる。ディスプレイ１４の上には、タッチパネル１６が設けられる。したがって、この実施例の携帯電話機１０では、後述のハードキーの操作によるものを除く大部分の入力操作は、このタッチパネル１６を介して行われる。
【００３６】
ハウジング１２の縦方向一端の表面側にスピーカ１８が内蔵され、縦方向他端の表面側にマイク２０が内蔵される。
【００３７】
タッチパネル１６と共に、入力操作手段を構成するハードキーとして、この実施例では、通話キー２２ａ、終話キー２２ｂ、メニューキー２２ｃおよび電源キー２２ｄが設けられる。
【００３８】
たとえば、ユーザは、ディスプレイ１４に表示されたダイヤルキー（図示せず）に対して、タッチパネル１６によってタッチ操作を行うことで電話番号を入力でき、通話キー２２ａを操作して音声通話を開始することができる。終話キー２２ｂを操作すれば、音声通話を終了することができる。また、メニューキー２２ｃが操作されると、ディスプレイ１４にメニュー画面が表示される。その状態でディスプレイ１４に表示されているソフトキーやメニューアイコン（ともに図示せず）などに対して、タッチ操作を行うことによってメニューを選択し、その選択を確定させることができる。ユーザは、メニュー画面を利用して、通話機能、メール機能およびアドレス帳機能などを実行することができる。さらに、ユーザは、電源がオンの状態で電源キー２２ｄを操作し、表示されたＧＵＩにタッチ操作を行うことで、携帯電話機１０の電源をオフにすることができる。一方、ユーザは、電源がオフの状態で電源キー２２ｄを操作することで、携帯電話機１０の電源をオンにすることができる。なお、電源キー２２ｄはパワーキーと呼ばれることもある。
【００３９】
また、携帯電話機１０は、マイク２０に入力された音声を認識する音声認識機能および合成音声のデータベースに基づいて音声メッセージを出力する発話機能と、それらの機能を利用する音声操作機能とを有している。たとえば、音声操作機能が実行されている携帯電話機１０に対して、ユーザが「自宅に電話をかける。」と携帯電話機１０に話しかければ、音声認識機能によってユーザの音声が認識される。また、認識された音声に基づいて、携帯電話機１０は、発話機能によって「自宅に発信しますか。」と応答メッセージを出力する。このとき、ユーザが「発信する」と応答すれば、携帯電話機１０は、アドレス帳から自宅として登録されている電話番号を読み出し、その電話番号に対して発呼する。このように、音声操作機能が実行されていれば、ユーザはタッチパネル１６に対するタッチ操作を行うことなく、携帯電話機１０を操作できる。そして、ユーザは、音声ガイダンス（応答メッセージ）の内容を聞くことで、携帯電話機１０の状態を把握しやすくなる。
【００４０】
なお、マイク２０およびプロセッサ３０は認識部として機能し、スピーカ１８およびプロセッサ３０は発話部として機能し、プロセッサ３０は操作部として機能する。
【００４１】
図２を参照して、図１に示す実施例の携帯電話機１０は、コンピュータまたはＣＰＵと呼ばれるプロセッサ３０を含む。プロセッサ３０には、無線通信回路３２、Ａ／Ｄ変換器３６、Ｄ／Ａ変換器３８、入力装置４０、表示ドライバ４２、フラッシュメモリ４４、ＲＡＭ４６およびタッチパネル制御回路４８などが接続される。
【００４２】
プロセッサ３０は、携帯電話機１０の全体制御を司る。記憶部として機能するＲＡＭ４６には、フラッシュメモリ４４に予め設定されているプログラムの全部または一部が使用に際して記憶され、プロセッサ３０はこのＲＡＭ４６上のプログラムに従って動作する。なお、ＲＡＭ４６はさらに、プロセッサ３０のワーキング領域ないしバッファ領域として用いられる。
【００４３】
入力装置４０は、図１に示すタッチパネル１６、ハードキー２２を含むものであり、操作部または入力部を構成する。ユーザが操作したハードキーの情報（キーデータ）はプロセッサ３０に入力される。
【００４４】
無線通信回路３２は、アンテナ３４を通して、音声通話やメールなどのための電波を送受信するための回路である。実施例では、無線通信回路３２は、ＣＤＭＡ方式での無線通信を行うための回路である。たとえば、ユーザが入力装置４０を操作して電話発信（発呼）を指示すると、無線通信回路３２は、プロセッサ３０の指の下、電話発信処理を実行し、アンテナ３４を介して電話発信信号を出力する。電話発信信号は、基地局および通信網を経て相手の電話機に送信される。そして、相手の電話機において着信処理が行われると、通信可能状態が確立され、プロセッサ３０は通話処理を実行する。
【００４５】
通常の通話処理について具体的に説明すると、相手の電話機から送られてきた変調音声信号はアンテナ３４によって受信される。受信された変調音声信号には、無線通信回路３２によって復調処理および復号処理が施される。そして、これらの処理によって得られた受話音声信号は、Ｄ／Ａ変換器３８によって音声信号に変換された後、スピーカ１８から出力される。一方、マイク２０を通して取り込まれた送話音声信号は、Ａ／Ｄ変換器３６によって音声データに変換された後、プロセッサ３０に与えられる。音声データには、プロセッサ３０の指示の下、無線通信回路３２によって符号化処理および変調処理が施され、アンテナ３４を介して出力される。したがって、変調音声信号は、基地局および通信網を介して相手の電話機に送信される。
【００４６】
また、相手の電話機からの電話発信信号がアンテナ３４によって受信されると、無線通信回路３２は、電話着信（着呼）をプロセッサ３０に通知する。これに応じて、プロセッサ３０は、表示ドライバ４２を制御して、着信通知に記述された発信元情報（電話番号など）をディスプレイ１４に表示する。また、上記処理に伴い、プロセッサ３０は、スピーカ１８から着信音（着信メロディ、着信音声と言うこともある。）を出力させる。
【００４７】
そして、ユーザが入力装置４０に含まれる通話キー２２ａ（図１）を用いて応答操作を行うと、無線通信回路３２は、プロセッサ３０の指示の下、電話着信処理を実行する。さらに、通信可能状態が確立され、プロセッサ３０は上述した通話処理を実行する。
【００４８】
また、通話可能状態に移行した後に入力装置４０に含まれる終話キー２２ｂ（図１）によって通話終了操作が行われると、プロセッサ３０は、無線通信回路３２を制御して、通話相手に通話終了信号を送信する。そして、通話終了信号の送信後、プロセッサ３０は通話処理を終了する。また、先に通話相手から通話終了信号を受信した場合も、プロセッサ３０は通話処理を終了する。さらに、通話相手によらず、移動通信網から通話終了信号を受信した場合も、プロセッサ３０は通話処理を終了する。
【００４９】
Ａ／Ｄ変換器３６には図１に示すマイク２０が接続され、上述のようにマイク２０からの音声信号はこのＡ／Ｄ変換器３６でディジタルの音声データに接続され、プロセッサ３０に入力される。Ｄ／Ａ変換器３８にはスピーカ１８が接続される。Ｄ／Ａ変換器３８は、ディジタルの音声データを音声信号に変換して、アンプを介してスピーカ１８に与える。したがって、音声データの音声がスピーカ１８から出力される。
【００５０】
なお、プロセッサ３０は、たとえばユーザによる音量調節の操作に応答して、Ｄ／Ａ変換器３８に接続されるアンプの増幅率を制御することによって、スピーカ１８から出力される音声の音量を調整することができる。
【００５１】
表示ドライバ４２はディスプレイ１４およびプロセッサ３０と接続され、プロセッサ３０から出力される画像データをＶＲＡＭに記憶する。そして、表示ドライバ４２は、ＶＲＡＭのデータに対応するＧＵＩなどの画像を、ディスプレイ１４に表示する。つまり、表示ドライバ４２は、プロセッサ３０の指示の下、当該表示ドライバ４２に接続されたディスプレイ１４の表示を制御する。また、ディスプレイ１４には、たとえばＬＥＤなどを光源とするバックライトが設けられている。そして、表示ドライバ４２は、プロセッサ３０の指示に従って、ディスプレイ３０およびバックライトのオン／オフなどを制御する。そのため、プロセッサ３０および表示ドライバ４２は制御部と呼ばれることもある。なお、ディスプレイ１４は、メニューキー２２ｃおよび電源キー２２ｄが操作されるとオンにされる。また、ディスプレイ１４は、電源キー２２ｄが操作されるか、無操作のまま一定時間（たとえば、３０秒）が経過するとオフにされる。
【００５２】
タッチパネル制御回路４８には、図１に示すタッチパネル１６が接続される。タッチパネル制御回路４８は、タッチパネル１６に必要な電圧などを付与するとともに、タッチパネル１６に対するユーザによるタッチの開始を示す開始信号、ユーザによるタッチの終了を示す終了信号、およびユーザがタッチしたタッチ位置を示す座標データをプロセッサ３０に入力する。したがって、プロセッサ３０はこの座標データに基づいて、そのときユーザがどのアイコンやキーにタッチしたかを判断することができる。
【００５３】
実施例では、タッチパネル１６は、指などの物体が表面に接近して生じた電極間の静電容量の変化を検出する静電容量方式で、たとえば１本または複数本の指がタッチパネル１６に触れたことを検出する。また、タッチパネル１６は、ディスプレイ１４の上に設けられ、その画面内で、任意の位置を指示するためのポインティングデバイスである。タッチパネル制御回路４８は検出部として機能し、タッチパネル１６のタッチ有効範囲内でのタッチ操作を検出して、そのタッチ操作の位置を示す座標データをプロセッサ３０に出力する。つまり、ユーザは、タッチパネル１６の表面に対してタッチ、スライドおよびリリースなどの操作を行うことで、操作位置や、操作方向などを携帯電話機１０に入力する。
【００５４】
なお、タッチパネル１６の検出方式には、表面型の静電容量方式が採用されてもよいし、抵抗膜方式、超音波方式、赤外線方式および電磁誘導方式などが採用されてもよい。また、タッチ操作はユーザの指だけに限らず、スタイラスペンなどによって行われてもよい。
【００５５】
ここで、携帯電話機１０が待機状態になると、タッチ操作の一部を無効にするスクリーンロック状態および特定機能の利用を制限するセキュリティロック状態が有効にされる。
【００５６】
たとえば、ディスプレイ１４に任意の画面が表示されているときに電源キー２２ｄが押されると、ディスプレイ１４が消灯され、携帯電話機１０は待機状態となる。そして、このようにして待機状態にされると、スクリーンロック状態およびセキュリティロック状態が有効にされる。また、ディスプレイ１４に任意の画面が表示されているときに、無操作状態で一定時間が経過しても、ディスプレイ１４が消灯され、携帯電話機１０は待機状態となる。
【００５７】
図３（Ａ），（Ｂ）を参照して、携帯電話機１０が待機状態のときに、電源キー２２ｄが操作されると、ディスプレイ１４にはスクリーンロック画面が表示される。ディスプレイ１４の表示範囲は、状態表示領域６０および機能表示領域６２を含む。状態表示領域６０には、アンテナ１２による電波受信状態を示すアイコン（ピクト）、二次電池の残電池容量を示すアイコンおよび日時が表示される。また、機能表示領域６２には、オブジェクトＯｂを含むスクリーンロック画面が表示される。
【００５８】
図４（Ａ）を参照して、ユーザがオブジェクトＯｂに対して、軌跡がオブジェクトＯｂと交差するようにタッチ操作を行うと、オブジェクトＯｂの表示態様が変化し、スクリーンロック状態が解除される。また、スクリーンロック状態が解除されると、図４（Ｂ）に示すセキュリティロック画面が表示される。本実施例のセキュリティロック画面では、解除操作として暗証番号の入力がユーザに求められる。そして、予め登録された暗証番号が入力された場合、セキュリティロック状態が解除される。そして、セキュリティロック状態が解除されると、ディスプレイ１４が消灯される前の画面（ここでは、図４（Ｃ）に示す待機画面）がディスプレイ１４に表示される。
【００５９】
なお、待機状態でセキュリティロック状態が有効にされないようにしてある場合、スクリーンロック状態が解除されると、セキュリティロック画面は表示されず、図４（Ｃ）に示すような前回画面が表示される。
【００６０】
図５（Ａ），（Ｂ）を参照して、たとえばタッチパネル１６が故障してタッチ操作が検出されない場合、ユーザは図４（Ａ）と同様のタッチ操作を行ったとしても、オブジェクトＯｂの表示態様は変化せず、スクリーンロック状態は解除されない。そして、スクリーンロック状態が解除されなければ、ユーザは携帯電話機１０の主な機能を利用することができない。
【００６１】
そこで、本実施例では、ディスプレイ１４のオン／オフが切り替えられた回数がカウントされる。そして、カウントされた回数が所定時間（たとえば、６０秒）内に所定回数（たとえば、５回）に達すると、音声操作機能による音声操作を受け付ける特定モードが設定される。
【００６２】
図６（Ａ），（Ｂ）を参照して、待機状態で電源キー２２ｄが操作された場合、スクリーンロック画面が表示されると共に、ディスプレイ１４のオン／オフが切り替えられた回数のカウントと、タイマによる時間の計測とが開始される。そして、所定時間内にディスプレイ１４のオン／オフが切り替えられた回数が所定回数になると、特定モードが設定される。特定モードが設定されると、音声操作機能が実行される。また、略同時に、スピーカ１８から、「音声によるガイダンスを開始します。」と言う共通音声メッセージと、後述するモードに対応する個別音声メッセージとが出力される。なお、ユーザは、音声メッセージを聞くことで、特定モードが設定されたことを知ることができる。
【００６３】
たとえば、タッチパネル１６に対するタッチ操作によって反応が無い場合、解除操作を再試行するために、スクリーンロック画面を何度も再表示させることが考えられる。そして、スクリーンロック画面を再表示させる場合、電源キー２２ｄが何度も操作されることになる。ところが、本実施例では、上記の操作がされると、音声による操作が受け付けられる特定モードが設定される。
【００６４】
このように、タッチ操作が検出されない状態でも、ユーザは音声で携帯電話機１０を操作することができる。また、本実施例では、タッチ操作が検出されない状態でユーザが行う可能性の高い操作に基づいて、特定モードが設定される。
【００６５】
特に、指が乾燥してタッチパネル１６に対してタッチ操作が検出されない場合、手袋を使っている場合またはプログラムの誤動作によってタッチ操作が検出されない場合などであっても、ユーザは、特定モードを設定することで、携帯電話機１０を操作できる。
【００６６】
ここで、特定モードは、携帯電話機１０にセキュリティロック状態が設定されているかによって動作内容が変化する。まず、セキュリティロック状態が有効にされている場合、特定モードは「モード１（第１特定モード）」として設定される。特定モードが「モード１」として設定されている場合、警察や消防などに対する緊急発信が行うことができるが、他の機能は利用が制限される。たとえば、「モード１」では、上述した共通音声メッセージの後に、「緊急発信を行いますか。」と言う個別音声メッセージが出力される。それに対して、ユーザが「警察」または「１１０番」を含む音声を入力すれば、携帯電話機１０は、「警察署に対して発呼します。」と音声メッセージを出力した後に、警察署に対して発呼する。また、ユーザが「消防」または「１１９番」を含む音声を入力すれば、携帯電話機１０は、「消防署に対して発呼します。」と音声メッセージを出力した後に、消防署に対して発呼する。
【００６７】
このように、セキュリティロック状態が有効にされているときに特定モードが設定された場合、利用できる機能を制限することで、携帯電話機１０の安全性を保持することができる。また、利用できる機能が制限されていても、緊急発信を行うことはできる。
【００６８】
なお、他の実施例では、「モード１」が設定された携帯電話機１０では、ユーザが特定のキーワード（パスワード）を音声入力すれば、特定の連絡先（たとえば、自宅）などに発信することができてもよい。
【００６９】
次に、セキュリティロック状態が有効にされていない場合、特定モードは「モード２（第３特定モード）」として設定される。特定モードが「モード２」として設定されている場合、利用できる機能は制限されず、ユーザは任意の機能を実行することができる状態となる。たとえば、「モード２」では、共通音声メッセージの後に、「ご利用になりたい機能を指示してください。」と言う個別音声メッセージが出力される。そして、ユーザは利用する機能の名称を含む音声を発話すれば、その機能を実行することができる。
【００７０】
また、ユーザは、初期設定よって、音声操作を受け付けない「モード０」を選択することができる。「モード０」とは、携帯電話機１０を落とした際に第三者によって携帯電話機１０が操作されないようにするためのモードである。そして、本実施例では、ユーザは、音声操作が受け付けられない「モード０Ａ」と、携帯電話機１０のデータを消去してその後も音声操作を受け付けない「モード０Ｂ」とを選択することができる。なお、「モード０」は、制限モードと呼ばれることもある。
【００７１】
たとえば、初期設定などによって「モード０Ａ」が選択されると、共通音声メッセージの後に、「音声入力を受け付けることができません。」と言う個別音声メッセージが出力される。そして、ユーザが音声入力したとしても、携帯電話機１０は「音声入力を受け付けることはできません。」と応答する。つまり、「モード０Ａ」が設定された場合、ユーザ（第三者）は、携帯電話機１０を音声操作することはできない。
【００７２】
また、「モード０Ｂ」が選択されると、共通音声メッセージの後に、「音声入力を受け付けることができません。データを消去します。」と言う個別音声メッセージが出力される。このとき、携帯電話機１０は、キー操作および音声入力に関係なく、フラッシュメモリ４４およびＲＡＭ４６を初期化する。
【００７３】
なお、「モード０」が設定された場合、ユーザは、電源キー２２ｄによって、ディスプレイ１４または携帯電話機１０の電源をオフにすることはできる。
【００７４】
このように、ユーザは、携帯電話機１０を落とした場合に備えて、携帯電話機１０が第三者によって操作されないようにすることができる。
【００７５】
図７は、特定モードテーブルの構成を示す図解図である。特定モードテーブルは、設定されている特定モード（モード０，１，２）と示すと共に、各モードに対応する個別音声メッセージが記録される。たとえば、ユーザが初期設定で「モード０Ａ」を選択した状態で、後述する特定モード設定処理によって「モード０Ａ」が設定されると、「モード０Ａ」に対応するフラグの欄が「オン」にされ、他のモードに対応するフラグの欄は「オフ」にされる。そして、共通音声メッセージが出力された後には、「モード０Ａ」と対応する「メッセージの内容」の欄の個別音声メッセージと対応する音声が出力される。なお、後述する特定モード設定処理によって他のモードが設定された場合は、そのモードに対応するフラグの欄がオンにされる。
【００７６】
なお、他の実施例では、ユーザは「モード２」、「モード１」、「モード０Ａ」および「モード０Ｂ」を任意に選択できてもよい。
【００７７】
ここで、特定モードの解除について説明する。まず、特定モードが設定されている状態で電源キー２２ｄが操作され、携帯電話機１０が待機状態となると、特定モードは解除される。
【００７８】
次に、図８（Ａ），（Ｂ）を参照して、タッチパネル１６が故障しておらず、特定モードが設定されているときにタッチ操作が検出された場合、特定モードは解除され、スクリーンロック画面がディスプレイ１４に表示される。このように、ユーザは、特定モードを容易に解除することができる。
【００７９】
以上で実施例の特徴を概説したが、以下には、図９および図１０に示す携帯電話機１０のＲＡＭ４６のメモリマップ、図１１−図１５に示す携帯電話機１０のプロセッサ３０によるフロー図を用いて詳細に説明する。
【００８０】
図９を参照して、図２に示すＲＡＭ４６には、プログラム記憶領域３０２とデータ記憶領域３０４とが形成される。プログラム記憶領域３０２は、先に説明したように、フラッシュメモリ４４（図２）に予め設定しているプログラムデータの一部または全部を読み出して記憶しておくための領域である。
【００８１】
プログラム記憶領域３０２には、音声認識プログラム３１０、発話プログラム３１２、音声操作プログラム３１４、設定プログラム３１６、解除プログラム３１８、特定モード判定プログラム３２０、特定モード設定プログラム３２２および特定モード制御プログラム３２４などが含まれる。
【００８２】
音声認識プログラム３１０は、入力された音声を認識するときに実行される。発話プログラム３１２は、音声メッセージを出力するときに実行される。音声操作プログラム３１４は、認識された音声に基づいて携帯電話機１０を操作するときに実行される。設定プログラム３１６は、スクリーンロック状態およびセキュリティロック状態を設定するためのプログラムである。解除プログラム３１８は、スクリーンロック状態およびセキュリティロック状態を解除するためのプログラムである。特定モード判定プログラム３２０は、特定モードを設定するかを判定するときに実行される。特定モード設定プログラム３２２は、特定モード判定プログラム３２０のサブルーチンであり、特定モードを設定するときに実行される。特定モード制御プログラム３２４は、特定モードが設定された状態の携帯電話機１０を制御するときに実行される。
【００８３】
なお、プログラム記憶領域３０２には、電話機能などを実行するためのプログラムも含まれる。
【００８４】
続いて、図１０を参照して、ＲＡＭ４６のデータ記憶領域３０４には、タッチバッファ３３０が設けられると共に、タッチ座標マップデータ３３２、音声認識辞書データ３３４、発話音声データ３３６、ＧＵＩデータ３３８、ＧＵＩ座標データ３４０および特定モードテーブルデータ３４２などが記憶される。また、データ記憶領域３０４には、タッチフラグ３４４、スクリーンロックフラグ３４６、セキュリティロックフラグ３４８、無操作カウンタ３５０および所定時間計測カウンタ３５２などが設けられる。
【００８５】
タッチバッファ３３０には、タッチパネル制御回路４８が出力するタッチ座標のデータが記憶される。タッチ座標マップデータ３３２は、タッチ操作におけるタッチ座標と、ディスプレイ１４の表示座標とを対応付けるためのデータである。つまり、タッチ座標マップデータ３３２に基づいて、タッチパネル１６に対して行われたタッチ操作の結果が、ディスプレイ１４の表示に反映される。
【００８６】
音声認識辞書データ３３４は、音声の特徴量と文字列とが対応付けられたデータである。音声認識処理では、入力された音声の特徴量に基づいて、音声認識辞書データ３３４から文字列が読み出される。発話音声データ３３６は、携帯電話機１０から出力される音声メッセージのデータである。
【００８７】
ＧＵＩデータ３３８は、キーなどのＧＵＩを表示するための画像データや文字列データを含む。ＧＵＩ座標データ３４０は、表示されているＧＵＩの表示座標データを含む。特定モードテーブルデータ３４２は、たとえば図７に示す構成のデータである。
【００８８】
タッチフラグ３４４は、タッチパネル１６に対してタッチされているか否かを判断するためのフラグである。たとえば、タッチフラグ３４４は、１ビットのレジスタで構成される。タッチフラグ３４４がオン（成立）されると、レジスタにはデータ値「１」が設定される。一方、タッチフラグ３４４がオフ（不成立）されると、レジスタにはデータ値「０」が設定される。なお、タッチフラグ３４４は、タッチパネル制御回路４８が出力する信号に基づいてオン／オフが切り換えられる。
【００８９】
スクリーンロックフラグ３４６は、スクリーンロック状態が設定されているかを判断するためのフラグである。セキュリティロックフラグ３４８は、セキュリティロック状態が設定されているかを判断するためのフラグである。なお、これらのフラグの構成は、タッチフラグ３４４と略同じ構成であるため、構成の詳細な説明は省略する。
【００９０】
無操作カウンタ３５０は、携帯電話機１０が操作されていない状態（無操作状態）の時間を計測するためのカウンタである。たとえば、携帯電話機１０に対してタッチ操作またはキー操作がされると、無操作カウンタ３５０は、初期化（リセット）され時間の計測を開始する。そして、無操作カウンタ３５０は、一定時間（たとえば、３０秒）が経過すれば満了する。そのため、無操作カウンタ３５０は、無操作タイマと呼ばれることがある。
【００９１】
所定時間計測カウンタ３５２は、所定時間（たとえば、６０秒）を計測するためのカウンタである。たとえば、電源キー２２ｄに対して操作されディスプレイ１４がオンにされると、所定時間計測カウンタ３５２は初期化され時間の計測を開始する。そして、所定時間計測カウンタ３５２は所定時間が経過すると満了する。そのため、所定時間計測カウンタ３５２は所定時間計測タイマと呼ばれることがある。
【００９２】
なお、データ記憶領域３０４には、待機状態で表示される画像データや、文字列のデータなどが記憶されると共に、携帯電話機１０の動作に必要なカウンタや、フラグなども設けられる。
【００９３】
プロセッサ３０は、Ａｎｄｒｏｉｄ（登録商標）およびＲＥＸなどのＬｉｎｕｘ（登録商標）ベースのＯＳや、その他のＯＳの制御下で、図１１に示す設定処理、図１２に示す解除処理、図１３に示す特定モード判定処理、図１４に示す特定モード設定処理および図１５に示す特定モード制御処理などを含む、複数のタスクを並列的に処理する。
【００９４】
図１１を参照して、設定処理は、たとえば待機画面がディスプレイ１４に表示されると開始される。ステップＳ１でプロセッサ３０は、電源キー２２ｄが操作されたか否かを判断する。ステップＳ１で“ＮＯ”であれば、つまり電源キー２２ｄが操作されていなければ、ステップＳ３でプロセッサ３０は、無操作のまま一定時間が経過したか否かを判断する。つまり、プロセッサ３０は、無操作タイマが満了したかを判断する。ステップＳ３で“ＮＯ”であれば、つまり無操作のまま一定時間が経過していなければ、プロセッサ３０はステップＳ１に戻る。
【００９５】
一方、ステップＳ１またはステップＳ３で“ＹＥＳ”であれば、つまり電源キー２２ｄが操作されるか、無操作のまま一定時間が経過すると、ステップＳ５でプロセッサ３０は、ディスプレイ１４を消灯する。つまり、現在表示されている画面のデータがバッファに保存された後、ディスプレイ１４、バックライトおよびタッチパネル１６の電源がオフにされる。
【００９６】
続いて、ステップＳ７でプロセッサ３０は、スクリーンロック状態を設定して、設定処理を終了する。つまり、スクリーンロックフラグ３４６がオンにされる。続いて、ステップＳ９でプロセッサ３０は、セキュリティロック機能が有効にされているか否かを判断する。つまり、プロセッサ３０は、ディスプレイ１４がオフにされたときに、セキュリティロック状態を有効にする設定がされているかを判断する。ステップＳ９で“ＮＯ”であれば、つまりセキュリティロック機能が有効にされていなければ、プロセッサ３０は設定処理を終了する。
【００９７】
一方、ステップＳ９で“ＹＥＳ”であれば、つまりセキュリティ機能が有効にされていれば、プロセッサ３０は、ステップＳ１１でセキュリティロックフラグ３４８をオンにして、設定処理を終了する。つまり、セキュリティロック状態が設定される。なお、ステップＳ１１の処理を実行するプロセッサ３０はセキュリティロック状態部として機能する。
【００９８】
図１２を参照して、解除処理は、たとえばディスプレイ１４が消灯されている状態で電源キー２２ｄが操作されると開始される。ステップＳ３１でプロセッサ３０は、スクリーンロック画面を表示する。つまり、プロセッサ３０は、ＧＵＩデータ３３６を読み出して、図４（Ａ）に示すスクリーンロック画面をディスプレイ１４に表示する。続いて、ステップＳ３３でプロセッサ３０は、解除操作か否かを判断する。たとえば、プロセッサ３０は、オブジェクトＯｂに対してタッチ操作の軌跡が交差するような解除操作がされたかを判断する。ステップＳ３３で“ＹＥＳ”であれば、つまり解除操作がされると、ステップＳ３５でプロセッサ３０は、スクリーンロック状態を解除する。つまり、スクリーンロックフラグ３４６がオフにされる。
【００９９】
続いて、ステップＳ３７でプロセッサ３０は、セキュリティロックフラグ３４８がオンであるか否かを判断する。つまり、セキュリティロック状態が設定されているが判断される。ステップＳ３７で“ＮＯ”であれば、つまりセキュリティロック状態が設定されていなければ、プロセッサ３０はステップＳ４５に進む。一方、ステップＳ３７で“ＹＥＳ”であれば、つまりセキュリティロック状態が設定されていれば、ステップＳ３９でプロセッサ３０は、セキュリティロック画面を表示する。たとえば、図４（Ｂ）に示すセキュリティロック画面がディスプレイ１４に表示される。
【０１００】
続いて、ステップＳ４１でプロセッサ３０は、解除操作か否かを判断する。たとえば、プロセッサ３０は、入力された暗証番号が登録されている暗証番号と一致するかを判断する。ステップＳ４１で“ＮＯ”であれば、たとえば正しい暗証番号が入力されなければ、プロセッサ３０はステップＳ４１の処理を繰り返す。
【０１０１】
また、ステップＳ４１で“ＹＥＳ”であれば、たとえば入力された暗証番号が登録されている暗証番号と一致すれば、ステップＳ４３でプロセッサ３０は、セキュリティロックフラグ３４８をオフにする。つまり、セキュリティロック状態が解除される。
【０１０２】
続いて、ステップＳ４５でプロセッサ３０は、前回画面を表示して解除処理を終了する。たとえば、待機画面のデータがＲＡＭ４６のバッファに記録されている場合、ステップＳ４５では、待機画面がディスプレイ１４に表示される。
【０１０３】
一方、ステップＳ３３で“ＮＯ”であれば、つまりスクリーンロック状態の解除操作がされていなければ、ステップＳ４７でプロセッサ３０は、電源キー２２ｄが操作されたか否かを判断する。ステップＳ４７で“ＮＯ”であれば、つまり電源キー２２ｄが操作されていなければ、ステップＳ４９でプロセッサ３０は、無操作のまま一定時間が経過したか否かを判断する。ステップＳ４９で“ＮＯ”であれば、つまり無操作のまま一定時間が経過していなければ、プロセッサ３０はステップＳ３３に戻る。
【０１０４】
ステップＳ４７またはステップＳ４９で“ＹＥＳ”であれば、つまり電源キー２２ｄが操作されるか、無操作のまま一定時間が経過すると、ステップＳ５１でプロセッサ３０は、ステップＳ５と同様、ディスプレイ１４を消灯する。そして、プロセッサ３０は、ステップＳ５１の処理が終了すれば、解除処理を終了する。
【０１０５】
図１３を参照して、特定モード判定処理は、たとえば電源キー２２ｄが操作され、ディスプレイ１４がオンにされると開始される。ステップＳ７１でプロセッサ３０は、変数Ｄを初期化する。変数Ｄはディスプレイ１４のオン／オフが切り替えられた回数をカウントするための変数である。そして、ステップＳ７１で初期化されると、変数Ｄには「０」が設定される。続いて、ステップＳ７３でプロセッサ３０は、変数Ｄをインクリメントする。つまり、ディスプレイ１４がオンにされたため、インクリメントによって、変数Ｄの値が「１」となる。続いて、ステップＳ７５でプロセッサ３０は、所定時間計測タイマを初期化する。つまり、ディスプレイ１４がオンにされてからの時間を計測するために、所定時間計測タイマが初期化される。
【０１０６】
続いて、ステップＳ７７でプロセッサ３０は、タッチ操作か否かを判断する。つまり、プロセッサ３０は、タッチパネル１６に対してタッチ操作がされた結果、タッチフラグ３４４がオンにされたかを判断する。ステップＳ７７で“ＹＥＳ”であれば、つまりタッチ操作が検出されると、プロセッサ３０はステップＳ８５に進む。
【０１０７】
また、ステップＳ７７で“ＮＯ”であれば、つまりタッチ操作が検出されていなければ、ステップＳ７９でプロセッサ３０は、電源キー２２ｄが操作されたか否かを判断する。ステップＳ７９で“ＮＯ”であれば、つまり電源キー２２ｄが操作されていなければ、ステップＳ８１でプロセッサ３０は、無操作タイマが満了したか否かを判断する。つまり、携帯電話機１０に対して操作がされないまま一定時間が経過したかが判断される。なお、ディスプレイ１４がオフの場合、無操作タイマは動作していないため、ステップＳ８１では常に“ＮＯ”と判断される。
【０１０８】
ステップＳ８１で“ＮＯ”であれば、つまり無操作の状態で一定時間が経過していなければ、ステップＳ８３でプロセッサ３０は、所定時間計測タイマが満了したか否かを判断する。つまり、特定モード判定処理が実行され、ディスプレイ１４の電源がオンにされてから所定時間が経過したかが判断される。ステップＳ８３で“ＮＯ”であれば、つまりディスプレイ１４の電源がオンにされてから所定時間が経過していなければ、プロセッサ３０はステップＳ７７に戻る。
【０１０９】
また、ステップＳ８３で“ＹＥＳ”であれば、つまりディスプレイ１４のオン／オフが切り替えられた回数が所定回数になる前に所定時間が経過すると、プロセッサ３０はステップＳ８５に進む。
【０１１０】
プロセッサ３０は、ステップＳ８４で変数Ｄを初期化して、特定モード判定処理を終了する。つまり、所定時間が経過する前にディスプレイ１４のオン／オフが所定回数に達しなかったか、タッチ操作が検出されたため、変数Ｄによってカウントされた値が初期化される。
【０１１１】
ステップＳ７９またはステップＳ８１で“ＹＥＳ”であれば、つまり電源キー２２ｄが操作されるか、無操作のまま一定時間が経過すると、ステップＳ８７でプロセッサ３０は、変数Ｄをインクリメントする。たとえば、無操作タイマが満了した場合、ディスプレイ１４はオフにされるため、変数Ｄがインクリメントされる。一方、電源キー２２ｄが操作された場合、ディスプレイ１４はオンからオフ、またはオフからオンに切り替わるため、変数Ｄがインクリメントされる。
【０１１２】
続いて、ステップＳ８９では、変数Ｄが閾値以上であるかを判断する。つまり、閾値は所定回数（たとえば、５回）と対応するように設定されており、変数Ｄによってカウントされた回数が所定回数以上であるかが判断される。ステップＳ８９で“ＮＯ”であれば、つまり変数Ｄによってカウントされた回数が所定回数未満であれば、プロセッサ３０はステップＳ７７に戻る。
【０１１３】
また、ステップＳ８９で“ＹＥＳ”であれば、たとえば変数Ｄの値が「５」であり、閾値（たとえば、「５」）以上になれば、プロセッサ３０はステップＳ９１で特定モード設定処理を実行して、特定モード判定処理を終了する。
【０１１４】
なお、ステップＳ７３およびステップＳ８７の処理を実行するプロセッサ３０はカウント部として機能する。また、ステップＳ９１の処理を実行するプロセッサ３０は設定部として機能する。
【０１１５】
また、特定モード判定処理は、着呼、メール着信などによってディスプレイ１４がオンにされたときに、実行されることもある。また、電源キー２２ｄ以外のキー（たとえば、メニューキー２２ｃ）に対して操作がされても、ディスプレイ１４がオンにされてもよい。
【０１１６】
また、特定モード判定処理が実行されているときにディスプレイ１４がオンにされたとしても、特定モード判定処理が改めて実行されることはない。
【０１１７】
図１４は特定モード設定処理のフロー図である。上述したように、ステップＳ９１の処理が実行されると、ステップＳ１１１でプロセッサ３０は、初期設定がされているか否かを判断する。つまり、音声操作を受け付けない「モード０」が選択されているかが判断される。また、具体的には、初期設定が行われたかを示すフラグがオンであるかが判断される。ステップＳ１１１で“ＮＯ”であれば、つまり特定モードの初期設定がされていなければ、ステップＳ１１３でプロセッサ３０は、セキュリティロック状態が有効であるか否かを判断する。つまり、セキュリティロックフラグ３４８がオンであるかが判断される。ステップＳ１１３で“ＮＯ”であれば、つまりセキュリティロック状態が有効にされていなければ、プロセッサ３０はステップＳ１１５で、「モード２」を設定して、特定モード設定処理を終了する。つまり、プロセッサ３０は、特定モードテーブルデータ３４２を読み出して、「モード２」と対応するフラグの欄をオンし、他のモードと対応するフラグの欄をオフにする。
【０１１８】
また、ステップＳ１１３で“ＹＥＳ”であれば、つまりセキュリティロック状態が有効であれば、プロセッサ３０は、ステップＳ１１７で「モード１」を設定して、特定モード設定処理を終了する。つまり、プロセッサ３０は、特定モードテーブルデータ３４２において、「モード１」のフラグの欄をオンにして、他のモードのフラグ欄をオフにする。なお、ステップＳ１１７の処理を実行するプロセッサ３０は第１特定モード設定部として機能する。
【０１１９】
また、ステップＳ１１１で“ＹＥＳ”であれば、つまり特定モードの初期設定がされていれば、ステップＳ１１９でプロセッサ３０は、データ消去か否かを判断する。つまり、データ消去を行う「モード０Ｂ」が選択されているかが判断される。また、具体的には、「モード０Ｂ」が選択されたことを示すフラグがオンであるかが判断される。
【０１２０】
ステップＳ１１９で“ＮＯ”であれば、つまりデータを消去しない「モード０Ａ」が選択されている場合、プロセッサ３０は、ステップＳ１２１で「モード０Ａ」を設定して、特定モード設定処理を終了する。つまり、特定モードテーブルデータ３４２において、「モード０Ａ」のフラグの欄をオンにして、他のモードのフラグの欄をオフにする。また、ステップＳ１１９で“ＹＥＳ”であれば、つまりデータを消去する「モード０Ｂ」が選択されている場合、プロセッサ３０はステップＳ１２３で、「モード０Ｂ」を設定する。つまり、特定モードテーブルデータ３４２において、「モード０Ｂ」と対応するフラグの欄をオンにして、他のモードと対応するフラグの欄をオフにする。
【０１２１】
なお、プロセッサ３０は、特定モード設定処理を終了すると、特定モード判定処理に戻る。また、ステップＳ１２１およびステップＳ１２３の処理を実行するプロセッサ３０は制限モード設定部として機能する。
【０１２２】
図１５を参照して、特定モード制御処理は、特定モードが設定されると開始される。ステップＳ１４１でプロセッサ３０は、特定モード画面を表示する。つまり、プロセッサ３０は、図６（Ｂ）に示す特定モード画面をディスプレイ３０に表示させる命令を発行する。続いて、ステップＳ１４３でプロセッサ３０は、特定モードテーブルデータ３４２を読み出す。続いて、ステップＳ１４５でプロセッサ３０は、音声メッセージを出力する。つまり、ステップＳ１４５の処理では、まず、発話音声データ３３６に基づいて共通音声メッセージが出力される。次に、特定モードテーブルデータ３４２でフラグの欄がオンにされている個別音声メッセージが読み出され、読み出した個別音声メッセージに対応する音声が、スピーカ１８から出力される。
【０１２３】
続いて、ステップＳ１４７でプロセッサ３０は、設定されているモードに対応する処理を実行する。たとえば、特定モードが「モード２」として設定されている場合、音声操作機能が実行され、入力された音声に基づいて処理が実行される。特定モードが「モード１」として設定されている場合、音声操作機能が実行され、ユーザの応答に基づいて緊急発信が行われる。特定モードが「モード０Ａ」として設定されている場合、音声操作機能が実行された後、ユーザの音声入力があれば応答メッセージを出力する。そして、特定モードが「モード０Ｂ」として設定されている場合、音声操作機能を実行した後に、データが消去される。
【０１２４】
続いて、ステップＳ１４９でプロセッサ３０は、電源キー２２ｄが操作されたかを判断する。つまり、特定モードを解除する操作がされたかを判断する。ステップＳ１４９で“ＹＥＳ”であれば、つまり電源キー２２ｄが操作されると、プロセッサ３０はステップＳ１５５に進む。一方、ステップＳ１４９で“ＮＯ”であれば、つまり電源キー２２ｄが操作されていなければ、ステップＳ１５１でプロセッサ３０は、無操作のまま一定時間が経過したか否かを判断する。ステップＳ１５１で“ＹＥＳ”であれば、つまり無操作のまま一定時間が経過すると、プロセッサ３０はステップＳ１５５に進む。
【０１２５】
一方、ステップＳ１５１で“ＮＯ”であれば、つまり無操作のまま一定時間が経過していなければ、ステップＳ１５３でプロセッサ３０は、タッチ操作か否かを判断する。つまり、タッチパネル１６が故障しておらず、タッチ操作が検出されたかが判断される。ステップＳ１５３で“ＮＯ”であれば、つまりタッチ操作が検出されなければ、プロセッサ３０はステップＳ１４７に戻る。一方、ステップＳ１５３で“ＹＥＳ”であれば、つまりタッチ操作が検出されると、プロセッサ３０はステップＳ１５５に進む。なお、ステップＳ１５３の処理を実行するプロセッサ３０は判断部として機能する。
【０１２６】
ステップＳ１５５でプロセッサ３０は、特定モードテーブルデータ３４２を初期化する。そして、ステップＳ１５５の処理が終了すれば、プロセッサ３０は特定モード制御処理を終了する。つまり、ステップＳ１５５の処理では、特定モードを解除する。また、具体的には、特定モードテーブルにおけるフラグの欄を全て「オフ」にする。そして、特定モードで実行されている機能（音声操作機能など）が終了される。また、ステップＳ１５５の処理を実行するプロセッサ３０は解除部として機能する。
【０１２７】
なお、特定モードが設定されたときに、ユーザに対してディスプレイ１４の表示が視認できるかを確認してもよい。たとえば、「ディスプレイは正常に表示されている場合は、メニューキーを押下したまま音声を入力してください。」とメッセージが表示される。そして、ディスプレイ１４が正常に表示されていることが確認された場合、通話キー２２ａ、終話キー２２ｂおよびメニューキー２２ｃと対応するソフトキーを表示することで、音声操作が補助されてもよい。つまり、ディスプレイ１４の表示が視認できる場合は、特定モードが設定されたときに、ディスプレイ１４の表示が視認できれば、音声操作機能およびハードキーが併用される。ただし、他の実施例では、特定モードが設定された場合、音声操作機能を利用せずに、ディスプレイ１４の表示およびハードキー２２によって操作されてもよい。また、その他の実施例では、特定モードが設定された場合、ハードキー２２だけで操作されてもよい。
【０１２８】
また、他の実施例では、特定モードが設定された場合、ユーザの自宅のメールアドレスなどに対してメールが送信されてもよい。また、携帯電話機１０がＧＰＳ回路を有している場合は、特定モードが設定された位置情報が先のメールに添付されてもよい。これにより、携帯電話機１０を落とした際に、ユーザは第三者によって特定モードが設定されたことが分かる。
【０１２９】
また、本実施例では、音声操作機能は、携帯電話機１０が有する音声認識機能および発話機能を利用していたが、他の実施例では、サーバの音声認識機能および発話機能を利用してもよい。たとえば、音声操作機能がサーバの音声認識機能および発話機能を利用する場合、入力された音声をサーバに送ると、サーバ側で音声が認識され、認識結果がサーバから返信される。そして、音声操作機能は、返信された錦結果に基づいて、発話メッセージをサーバに要求したり、次の動作を決定したりする。
【０１３０】
また、他の実施例では、音声認識機能のために、音声認識用の回路がプロセッサ３０に接続されてもよい。
【０１３１】
また、本実施例で用いられたプログラムは、データ配信用のサーバのＨＤＤに記憶され、ネットワークを介して携帯電話機１０に配信されてもよい。また、ＣＤ，ＤＶＤ，ＢＤ（Blue-Ray Disk）などの光学ディスク、ＵＳＢメモリおよびメモリカードなどの記憶媒体に複数のプログラムを記憶させた状態で、その記憶媒体が販売または配布されてもよい。そして、上記したサーバや記憶媒体などを通じてダウンロードされた、プログラムが本実施例と同等の構成の携帯端末にインストールされた場合、本実施例と同等の効果が得られる。
【０１３２】
そして、本明細書中で挙げた、具体的な数値は、いずれも単なる一例であり、製品の仕様変更などに応じて適宜変更可能である。
【符号の説明】
【０１３３】
１０    …  携帯電話機
１４    …  ディスプレイ
１６    …  タッチパネル
３０    …  プロセッサ
４０    …  入力装置
４４    …  フラッシュメモリ
４６    …  ＲＡＭ
４８    …  タッチパネル制御回路
【図１】
0005814823.tif 000002
【図２】
0005814823.tif 000003
【図３】
0005814823.tif 000004
【図４】
0005814823.tif 000005
【図５】
0005814823.tif 000006
【図６】
0005814823.tif 000007
【図７】
0005814823.tif 000008
【図８】
0005814823.tif 000009
【図９】
0005814823.tif 000010
【図１０】
0005814823.tif 000011
【図１１】
0005814823.tif 000012
【図１２】
0005814823.tif 000013
【図１３】
0005814823.tif 000014
【図１４】
0005814823.tif 000015
【図１５】
0005814823.tif 000016